(57)【特許請求の範囲】
【請求項１】
感光領域の異なる複数種類の感光材料に対応して予め記憶されている露光時間データ、マーキングデータ及び電流値データを決定して記憶し、
前記感光材料が所定の位置に到達したことにより発生する検出信号に基づき該感光材料におけるマーキング開始位置を決定し、
前記決定されたマーキング開始位置から、前記感光材料の前記感光領域に応じて予め決定された前記露光時間データ及び前記電流値データの関係と、前記マーキングデータとに基づき白色ＬＥＤを所定の光量で所定の時間発光させて前記感光材料にマーキングを施すことを特徴とする感光材料へのマーキング方法。
【請求項２】
露光ヘッドと、該露光ヘッドに接続される制御系とを有し、該制御系の制御作用下に該露光ヘッドを駆動させることにより感光領域の異なる複数種類の感光材料にマーキングを施すマーキング装置であって、
前記露光ヘッドは、複数個の白色ＬＥＤからなる光源を有し、
前記制御系は、制御部と駆動部とからなり、
前記制御部は、前記感光材料に対応する露光時間データ、マーキングデータ及び電流値データを記憶すると共に、該感光時間データ及び該電流値データの関係を前記各感光材料の前記感光領域に応じて予め決定して記憶したデータ記憶部を有し、
前記駆動部は、前記制御部から導出された前記露光時間データ、前記マーキングデータ及び前記電流値データがそれぞれ記憶される露光時間データ制御部、マーキングデータ制御部及びＬＥＤドライバを備え、前記感光材料が所定の位置に到達した際に、前記露光時間データ制御部と前記マーキングデータ制御部とから所定のデータを読み出してＬＥＤドライバを付勢して前記白色ＬＥＤを所定の光量で所定の時間発光させることにより、該感光材料にマーキングを施すことを特徴とする感光材料へのマーキング装置。
【請求項３】
請求項２記載の感光材料へのマーキング装置において、
前記白色ＬＥＤを直線状に並べて１つのセグメントを形成し、
前記セグメントを複数個組み合わせて略８の字型を形成することを特徴とする感光材料へのマーキング装置。
【発明の詳細な説明】
【０００１】
【発明の属する技術分野】
本発明は、例えば、Ｘ線フイルムなどの感光材料に対し、単一のＬＥＤのみでマーキング処理を施すことを可能とした感光材料へのマーキング方法及びその装置に関する。
【０００２】
【従来の技術】
一般に、例えば、Ｘ線フイルムなどの感光材料には、加工順等の製造情報を示す製造ロット番号や該感光材料の感度を示すＩＳＯ感度値などがマーキング装置によりマーキング（潜像露光）されている。このマーキングされた情報は、Ｘ線フイルムを現像処理することにより可視像となるため、例えば、該Ｘ線フイルムに欠陥がある場合などに、使用者にとって有効な情報となる。
【０００３】
ところで、前記マーキング装置において、Ｘ線フイルムに所望の文字等をマーキングする手段として、従来から数種類の色を発光するＬＥＤが光源として用いられている。
【０００４】
例えば、緑色ＬＥＤから発光される緑色光と赤色ＬＥＤから発光される赤色光とを混合させて黄色光を作り、その黄色光をＸ線フイルムに照射することにより、該Ｘ線フイルムに所望の文字等がマーキングされる。この場合、各ＬＥＤは、それぞれ個別に該ＬＥＤを発光させるためのＬＥＤドライバに接続されている。
【０００５】
【発明が解決しようとする課題】
しかしながら、前記のように複数の種類のＬＥＤを用いる場合、ＬＥＤドライバの数も多くなり、装置自体も大型化せざるを得ない。しかも、ＬＥＤドライバの制御系も複雑化し、保守管理も容易ではなく設備費も高騰する不都合がある。
【０００６】
本発明は、前記のマーキング装置をさらに改良すべくなされたものであり、感光領域が多岐にわたる感光材料に対して単色、すなわち白色のＬＥＤのみで該感光材料に所望の文字等をマーキングすることが可能であり、しかも、該ＬＥＤを発光させるためのＬＥＤドライバが１つになるため、マーキング装置の小型化を達成することができ、それにより、設備全体の低廉化を達成する感光材料へのマーキング方法及びその装置を提供することを目的とする。
【０００７】
【課題を解決するための手段】
本発明は、感光領域の異なる複数種類の感光材料に対応して予め記憶されている露光時間データ、マーキングデータ及び電流値データを決定して記憶し、前記感光材料が所定の位置に到達したことにより発生する検出信号に基づき該感光材料におけるマーキング開始位置を決定し、前記決定されたマーキング開始位置から、前記感光材料の前記感光領域に応じて予め決定された前記露光時間データ及び前記電流値データの関係と、前記マーキングデータとに基づき白色ＬＥＤを所定の光量で所定の時間発光させて前記感光材料にマーキングを施すことを特徴とする。
【０００８】
また、本発明は、露光ヘッドと、該露光ヘッドに接続される制御系とを有し、該制御系の制御作用下に該露光ヘッドを駆動させることにより感光領域の異なる複数種類の感光材料にマーキングを施すマーキング装置であって、前記露光ヘッドは、複数個の白色ＬＥＤからなる光源を有し、前記制御系は、制御部と駆動部とからなり、前記制御部は、前記感光材料に対応する露光時間データ、マーキングデータ及び電流値データを記憶すると共に、該感光時間データ及び該電流値データの関係を前記各感光材料の前記感光領域に応じて予め決定して記憶したデータ記憶部を有し、前記駆動部は、前記制御部から導出された前記露光時間データ、前記マーキングデータ及び前記電流値データがそれぞれ記憶される露光時間データ制御部、マーキングデータ制御部及びＬＥＤドライバを備え、前記感光材料が所定の位置に到達した際に、前記露光時間データ制御部と前記マーキングデータ制御部とから所定のデータを読み出してＬＥＤドライバを付勢して前記白色ＬＥＤを所定の光量で所定の時間発光させることにより、該感光材料にマーキングを施すことを特徴とする。さらに、前記白色ＬＥＤを直線状に並べて１つのセグメントを形成し、前記セグメントを複数個組み合わせて略８の字型を形成すると好ましい。
【０００９】
これにより、感光領域が多岐にわたる感光材料に対して単一色のＬＥＤのみで該感光材料に所望の文字等をマーキングすることが可能となるとともに、該ＬＥＤを発光させるためのＬＥＤドライバが１つになるため、該ＬＥＤを備えるマーキング装置自体の小型化を図ることができ、それにより、設備費用の低廉化を達成するとともに保守管理も容易となる。
【００１０】
【発明の実施の形態】
本発明に係る感光材料へのマーキング方法につき、その装置との関係において、例えば、Ｘ線フイルムのウエブ原反から所定の幅のシート状のＸ線フイルムシートを製造するシート体製造装置に適用した実施の形態を挙げ、添付の図１〜図７を参照しながら以下詳細に説明する。
【００１１】
本実施の形態に係るマーキング装置１０は、図１に示すように、シート体製造装置１２に組み込まれている。このシート体製造装置１２は、ロール状のウエブ原反１４からウエブ１６を送り出すための供給軸１８と、該供給軸１８から送り出された該ウエブ１６を裁切断部２２まで搬送する第１の搬送部２０と、該裁切断部２２で所定の幅に連続してシート状に裁切断されるウエブ２４にマーキング（潜在露光）するマーキング装置１０と、該マーキングされたウエブ２４を集積部２８に搬送する第２の搬送部２６とを有している。マーキングには、加工順等の製造情報を示す製造ロット番号や感光材料の感度を示すＩＳＯ感度値などを掲げることができる。
【００１２】
供給軸１８は駆動源（図示せず）に直結されており、該駆動源の作用下に該供給軸１８は回転駆動され、ロール状のウエブ原反１４からウエブ１６が送り出される。前記供給軸１８により送り出された前記ウエブ１６は、第１の搬送部２０において、裁切断前の該ウエブ１６の搬送経路上に配置される複数の搬送ローラ３０を介して裁切断部２２に搬送される。
【００１３】
裁切断部２２は、前記第１の搬送部２０から搬送された前記ウエブ１６を所定の幅のシート状に裁切断するための刃（図示せず）を備える。前記裁切断部２２によって所定の幅に裁切断されたシート状のウエブ２４は、マーキング装置１０によって、製造ロット番号やＩＳＯ感度値などがマーキングされる。このマーキング装置１０の構成については、後述する。
【００１４】
マーキング処理が施されたシート状のウエブ２４は、第２の搬送部２６を構成する一対のローラ３２及び３４に懸架されたベルト３６上に搬送され、該ベルト３６が駆動源（図示せず）の作用下に周回走行することにより、該ウエブ２４は集積部２８の集積箱３８に集積される。
【００１５】
ここで、マーキング装置１０の構成について説明する。このマーキング装置１０は、図１に示すように、露光ヘッド４６を含む。前記露光ヘッド４６の下方には、駆動ローラ４０ａと、該駆動ローラ４０ａと対をなす従動ローラ４０ｂとが設けられる。前記従動ローラ４０ｂの回転軸には、ロータリエンコーダ４２が固着される。前記駆動ローラ４０ａと前記従動ローラ４０ｂには、搬送ベルト４４が懸架される。なお、前記露光ヘッド４６の近傍に光電スイッチ４８が配設される。
【００１６】
露光ヘッド４６は、図２に示すように、支持フレーム５０に固定される筐体５２と、該筐体５２の底面５４から図２において下方に延在して該底面５４に固着される管状のガイド５６とを有し、該ガイド５６の先端内部には、ホルダ５８を介して光学系６０が設けられる。この筐体５２の一内壁面には、架台６２を構成する屈曲部６４が固着され、該筐体５２の底面５４と略平行な該架台６２の平坦部６６には、基板６８を介して複数個の白色ＬＥＤ７２からなる光源７０が設けられる。この光源７０は、図３に示すように、４個の白色ＬＥＤ７２を直線状に並べて形成されるセグメント７４を複数個組み合わせて略８の字型に形成される。この場合、前記白色ＬＥＤ７２の先端は、前記筐体５２の底面５４に形成された開口部７４から下方に指向して突出している。従って、前記光学系６０と前記光源７０とは、図２において水平面に対して略平行状態に配設されている。
【００１７】
前記架台６２の上面には、第１のソケット７８が固着され、該第１のソケット７８は、リード線８０を介して前記筐体５２の上部の略中央部を貫通して設けられる第２のソケット８２に接続される。この第２のソケット８２は、図２に示すように、制御系８４に接続されている。
【００１８】
制御系８４は、図４に示すように、制御部８６と駆動部８８を有する。この制御部８６は、マーキング処理を施す感光領域の異なる数種類のＸ線フイルムの品種に対応する露光時間（光源７０を発光させる時間）データ、マーキングデータ（マーキングすべき文字）及び電流値（光源７０に通電する電流値）データが記憶されるメモリ９０と、ＣＰＵ９２と、Ｉ／Ｏ９４とを備える。このＩ／Ｏ９４から露光時間データ、マーキングデータ及び電流値データに対応する信号Ｓ１が駆動部８８に設けられるＩ／Ｏ９６に導出される。
【００１９】
駆動部８８は、図４に示すように、マーキングを開始するためのマーキング開始信号Ｓ９を導出するマーキング信号発生部９８と、該マーキング信号発生部９８に接続される分周器１０２と、露光時間データが記憶される露光時間データ制御部１０６と、マーキングデータが記憶されるマーキングデータ制御部１０８と、光源７０である白色ＬＥＤ７２を発光させるためのＬＥＤドライバ（駆動回路）１１０とを有している。
【００２０】
本実施の形態に係るマーキング装置１０を組み込むシート体製造装置１２は、基本的には以上のように構成されるものであり、次に、その作用及び効果について図５のフローチャートを参照しながら説明する。
【００２１】
先ず、メモリ９０に予め記憶されている感光領域の異なる数種類のＸ線フイルムの品種の中から、マーキング処理を施すＸ線フイルムの品種を設定する（ステップＳ１）。この場合、それぞれのＸ線フイルムに対応する露光時間データ、マーキングデータ及び電流値データが予め前記メモリ９０に記憶されているため、該Ｘ線フイルムの品種の選択によってマーキング処理を施すＸ線フイルムに対する該光源７０の露光時間、マーキングすべき文字及び該光源７０に通電される電流値が決定される。
【００２２】
前記メモリ９０に記憶されている露光時間データ及び電流値データは、例えば、図６に示すように、品種Ａであれば露光時間が２μｓ、通電する電流値が２０ｍＡ、品種Ｂであれば、露光時間が１０μｓ、通電する電流値が２０ｍＡ、品種Ｃであれば、露光時間が２０μｓ、通電する電流値が２０ｍＡ、品種Ｄであれば、露光時間が１０μｓ、通電する電流値が１００ｍＡである。この場合、実験によって、それぞれの品種Ａ〜Ｄに対して前記条件によってマーキングしたときに、マーキング濃度（マーキングされる文字の濃度）が確実に確保され、マーキングされる文字の品質が損なわれることはない。さらに、電流値と相対光度とは、図７に示すような関係となるため、例えば、２０ｍＡの電流しか供給できない場合に品種Ｃのマーキングを行おうとすると、露光時間を２０μｓにすることによって確実にマーキング濃度を確保することが可能となる。
【００２３】
次に、制御部８６のＣＰＵ９２が作動して、マーキング処理が施されるＸ線フイルムの露光時間データ、マーキングデータ及び電流値データに対応する信号Ｓ１が該制御部のＩ／Ｏ９４から駆動部８８に設けられるＩ／Ｏ９６に導出される（ステップＳ２）。このＩ／Ｏ９６から導出される前記露光時間データに対応する信号Ｓ２が露光時間データ制御部１０６に記憶され、前記マーキングデータに対応する信号Ｓ３がマーキングデータ制御部１０８に記憶される（ステップＳ３）。一方、前記電流値データに対応する信号Ｓ４がＬＥＤドライバ１１０に記憶される（ステップＳ３）。その際、前記Ｉ／Ｏ９６は、前記露光時間データ、前記マーキングデータ及び前記電流値データが、前記露光時間データ制御部１０６、前記マーキングデータ制御部１０８及びＬＥＤドライバ１１０にそれぞれ記憶されたという信号Ｓ５をマーキング信号発生部９８に導出する。
【００２４】
その間に、供給軸１８の回転作用下にウエブ１６が送り出され、第１の搬送部２０を経て裁切断部２２に至り、該ウエブ１６が所定の長さに裁切断されてシート状のウエブ２４が形成される。そして、前記シート状のウエブ２４は、マーキング装置１０を構成する駆動ローラ４０ａの付勢作用下に搬送ベルト４４により光電スイッチ４８の下方に搬送され、該光電スイッチ４８により該シート状のウエブ２４の先端が検出される（ステップＳ４）。前記ウエブ２４の先端を検出した際に前記光電スイッチ４８により発生する検出信号Ｓ６がマーキング信号発生部９８に導出される。
【００２５】
一方、光電スイッチ４８によりシート状のウエブ２４の先端が検出された直後に、ロータリエンコーダ４２から該ロータリエンコーダ４２の回転に対応したパルス信号Ｓ７が分周器１０２に導出される（ステップＳ５）。このパルス信号Ｓ７が、分周器１０２で分周されて予め設定されている値になったとき、該分周器１０２から制御信号Ｓ８が前記マーキング信号発生部９８に導出される。これにより、前記マーキング信号発生部９８からマーキング開始信号Ｓ９が露光時間データ制御部１０６に導出される（ステップＳ６）。
【００２６】
その後、前記露光時間データ制御部１０６からマーキングデータ制御部１０８に露光時間を制御する制御信号Ｓ１０が導出される。次いで、前記マーキングデータ制御部１０８からマーキングデータに対応する信号Ｓ３及び露光時間を制御する制御信号Ｓ１０に対応する制御信号Ｓ１１がＬＥＤドライバ１１０に導出され、該ＬＥＤドライバ１１０が駆動される（スッテプＳ７）。前記ＬＥＤドライバ１１０には予め電流値データに対応する信号Ｓ４が導入されており、該信号Ｓ４と前記制御信号Ｓ１１とに基づいて、マーキングすべき文字となるように、光源７０の白色ＬＥＤ７２が所定の光量で所定の時間だけ発光し（ステップＳ８）、シート状のウエブ２４に所望の文字がマーキングされる（ステップＳ９）。すなわち、白色ＬＥＤ７２の発光光は光学系６０を通過し、前記ウエブ２４に到達して所定の文字等がマーキング（潜在露光）される。
【００２７】
ロータリエンコーダ４２は、一定回転する毎にパルス信号Ｓ７を分周器１０２に導出しているため、上述したように、このパルス信号Ｓ７が該分周器１０２で予め設定されている値になったとき、該分周器１０２から制御信号Ｓ８が、マーキング信号発生部９８に導出される。これにより、シート状のウエブ２４に最初の文字がマーキングされた後も、所定の文字間隔で該ウエブ２４に所望の文字がマーキングされ、最終的に、製造ロット番号及びＩＳＯ感度値などが該ウエブ２４にマーキングされる。
【００２８】
製造ロット番号及びＩＳＯ感度値などがマーキングされたシート状のウエブ２４は集積部２８の集積箱３８に集積され、この集積箱３８が搬送装置（図示せず）によって次工程に搬送されることにより、該ウエブ２４は次なる処理に供される。
【００２９】
【発明の効果】
以上説明したように、本発明によれば、感光領域が多岐にわたる感光材料に対して一色のＬＥＤのみで該感光材料に所望の文字等をマーキングすることが可能となるとともに、該ＬＥＤを発光させるためのＬＥＤドライバが１つになるため、該ＬＥＤを備えるマーキング装置自体の小型化を図ることができ、それにより、設備費用の低廉化を達成することができるとともに保守管理も容易となるという特有の効果が得られる。
【図面の簡単な説明】
【図１】本実施の形態に係るマーキング装置を組み込むシート体製造装置を示す要部概略説明図である。
【図２】図１に示すマーキング装置を構成する露光ヘッドの一部省略拡大縦断面図である。
【図３】図２に示す矢印Ａ方向からの矢視図である。
【図４】図１に示すマーキング装置の制御部の構成ブロック図である。
【図５】図１に示すマーキング装置によるマーキング工程を説明するフローチャートである。
【図６】前記制御部のメモリに予め記憶されるＸ線フイルムの品種の露光条件を示す表である。
【図７】電流値と相対光度との関係を説明するグラフである。
【符号の説明】
１０…マーキング装置            １２…シート体製造装置
４２…ロータリエンコーダ        ４６…露光ヘッド
４８…光電スイッチ              ７０…光源
７２…白色ＬＥＤ                ７４…セグメント
８４…制御系                    ８６…制御部
８８…駆動部                    ９０…メモリ
９８…マーキング信号発生部      １０６…露光時間データ制御部
１０８…マーキングデータ制御部  １１０…ＬＥＤドライバ
【図１】
0004088023.tif 000002
【図２】
0004088023.tif 000003
【図３】
0004088023.tif 000004
【図４】
0004088023.tif 000005
【図５】
0004088023.tif 000006
【図６】
0004088023.tif 000007
【図７】
0004088023.tif 000008